(57)【要約】  液晶表示装置（１００）は、一対の基板（１０、３０）間に保持された液晶層（４２）であって、誘電異方性が正の１種または複数種のポジ型液晶化合物と誘電異方性が負の１種または複数種のネガ型液晶化合物とを含み、ポジ型液晶化合物の合計の含有量がネガ型液晶化合物の合計の含有量を下回らない液晶層と、一対の基板に設けられた複数の直線部分およびスリットを有する画素電極（２４）および画素電極と絶縁された共通電極（２２）とを備え、画素電極と共通電極とによって、液晶層に正極性および負極性の画素電圧が６０Ｈｚ未満の周波数で切り替えて印加されるように構成されている。
2015163255.tif 000002
【特許請求の範囲】
【請求項１】
一対の基板と、
前記一対の基板間に保持された液晶層であって、誘電異方性が正の１種または複数種のポジ型液晶化合物と誘電異方性が負の１種または複数種のネガ型液晶化合物とを含み、前記ポジ型液晶化合物の合計の含有量が前記ネガ型液晶化合物の合計の含有量を下回らない液晶層と、
前記一対の基板のうちの一方の基板に設けられた、複数の直線部分および隣接する２本の前記直線部分の間に設けられたスリットを有する画素電極および前記画素電極と絶縁された共通電極と
を備え、
前記画素電極と前記共通電極とによって、前記液晶層に、正極性および負極性の画素電圧が６０Ｈｚ未満の周波数で切り替えて印加されるように構成されている、液晶表示装置。
【請求項２】
前記液晶層に、前記正極性および負極性の画素電圧が３０Ｈｚ以下の周波数で切り替えて印加されるように構成されている、請求項１に記載の液晶表示装置。
【請求項３】
前記液晶層に、前記正極性および負極性の画素電圧が１０Ｈｚ以下の周波数で切り替えて印加されるように構成されている、請求項２に記載の液晶表示装置。
【請求項４】
前記ネガ型液晶化合物を含み前記ポジ型液晶化合物を含まないネガ型液晶材料を用いて１Ｈｚで駆動したときのフリッカ率は、前記ポジ型液晶化合物を含み前記ネガ型液晶化合物を含まないポジ型液晶材料を前記所定周波数で駆動したときのフリッカ率よりも小さい、請求項１から３のいずれかに記載の液晶表示装置。
【請求項５】
前記液晶層は、前記ネガ型液晶化合物を２体積％以上３０体積％以下含む、請求項１から４のいずれかに記載の液晶表示装置。
【請求項６】
前記液晶層は、前記ネガ型液晶化合物を２体積％以上１５体積％以下含む、請求項５に記載の液晶表示装置。
【請求項７】
前記ポジ型液晶化合物を含み前記ネガ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第１の低下率で輝度が低下するとともに、画素全体の輝度が一時的に低下した状態における輝度から前記負極性電圧を印加したときの安定輝度まで第２の低下率で輝度が低下し、かつ、前記複数の直線部分上において、前記正極性電圧を印加したときの安定輝度から画素全体の輝度が一時的に低下した状態における輝度まで第１の上昇率で輝度が上昇するとともに、画素全体の輝度が一時的に低下した状態の輝度から前記負極性電圧を印加したときの安定輝度まで第２の上昇率で輝度が上昇する、ポジ型液晶材料であり、
前記ネガ型液晶化合物を含み前記ポジ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第３の上昇率で輝度が上昇するとともに、画素全体の輝度が一時的に低下した状態における輝度から前記負極性電圧を印加したときの安定輝度まで第４の上昇率で輝度が上昇し、かつ、前記複数の直線部分上において、前記正極性電圧を印加したときの安定輝度から画素全体の輝度が一時的に低下した状態における輝度まで第３の低下率で輝度が低下するとともに、画素全体の輝度が一時的に低下した状態の輝度から前記負極性電圧を印加したときの安定輝度まで第４の低下率で輝度が低下する、ネガ型液晶材料であり、
前記ポジ型液晶材料についての前記第２の低下率と前記第２の上昇率との大きさの差が、前記ネガ型液晶材料についての前記第４の上昇率と前記第４の低下率との大きさの差よりも大きい、請求項１から６のいずれかに記載の液晶表示装置。
【請求項８】
前記ポジ型液晶材料における前記スリット上での前記第１の低下率は前記第２の低下率よりも大きい、請求項７に記載の液晶表示装置。
【請求項９】
前記ネガ型液晶材料における前記スリット上での前記第３の上昇率と前記第４の上昇率との差は、前記ポジ型液晶材料における前記第１の低下率と前記第２の低下率との差よりも小さい、請求項８に記載の液晶表示装置。
【請求項１０】
実質的に同じ絶対値を有する正極性電圧と負極性電圧とが極性を切り替えて印加されるとき、前記正極性電圧印加時の安定的な画素全体輝度と前記負極性電圧印加時の安定的な画素安定輝度とが実質的に同じ場合において、前記極性を切り替えた直後の所定期間に、前記安定的な画素全体輝度から一時的な画素全体輝度の低下が生じ、
前記ポジ型液晶化合物は、前記スリット上において、前記正極性電圧を印加したときの安定的な輝度と前記一時的な画素全体輝度の低下が生じたときの輝度との差である第１の差が、前記一時的な画素全体輝度の低下が生じたときの輝度と前記負極性電圧を印加したときの安定的な輝度との差である第２の差よりも大きくなる液晶化合物からなり、
前記ネガ型液晶材料は、前記スリット上において、前記正極性電圧を印加したときの安定的な輝度と前記一時的な画素全体輝度の低下が生じたときの輝度の差である第３の差と、前記一時的な画素全体輝度の低下が生じたときの輝度と前記負極性電圧を印加したときの安定的な輝度との差である第４の差との差異が、前記第１の差と前記第２の差との差異よりも小さくなる液晶化合物からなる、請求項１から６のいずれかに記載の液晶表示装置。
【請求項１１】
前記画素電極に接続された薄膜トランジスタをさらに有し、前記薄膜トランジスタの活性層は酸化物半導体層を含む、請求項１から１０のいずれかに記載の液晶表示装置。
【請求項１２】
前記酸化物半導体層はＩｎ−Ｇａ−Ｚｎ−Ｏ系半導体層を含む、請求項１１に記載の液晶表示装置。
【請求項１３】
前記Ｉｎ−Ｇａ−Ｚｎ−Ｏ系半導体層は結晶質部分を含む、請求項１２に記載の液晶表示装置。
【発明の詳細な説明】
【技術分野】
【０００１】
本発明は、液晶表示装置に関し、特に横電界モードのＴＦＴ型液晶表示装置に関する。
【背景技術】
【０００２】
ＴＦＴ型液晶表示装置は、ＴＦＴ（薄膜トランジスタ）を介して各画素の液晶層（電気的には、「液晶容量」と呼ばれる。）に印加する電圧を制御することによって、各画素を透過する光の量を調節し、表示を行う。各画素の液晶層に印加される電圧は、ある期間毎に極性が反転される。このような液晶表示装置の駆動方法は、交流駆動法と呼ばれ、液晶層に長時間にわたって直流電圧が印加されないようにしている。液晶層に長時間にわたって直流電圧が印加されると、液晶材料中に存在するイオンの偏在（界面分極）や液晶材料の劣化が起こり、表示品位が低下するからである。【０００３】
本明細書において、各画素の液晶層（液晶容量）に印加される電圧を画素電圧と呼ぶことにする。画素電圧は、画素の画素電極と対向電極との間に印加される電圧であり、対向電極の電位に対する画素電極の電位で表される。対向電極の電位よりも画素電極の電位が高いときの画素電圧の極性を正とし、対向電極の電位よりも画素電極の電位が低いときの画素電圧の極性を負とする。【０００４】
ＴＦＴ型液晶表示装置において、ＴＦＴのドレイン電極に接続された画素電極には、ＴＦＴのソースに接続されているソースバスライン（信号線）から供給される表示信号電圧が供給される。画素電極に供給される表示信号電圧と、対向電極に供給される対向電圧との差が、画素電圧に相当する。【０００５】
ＴＦＴ型液晶表示装置において、画素電圧の極性は、典型的にはフレーム期間毎に反転する。ここで、ＴＦＴ型液晶表示装置におけるフレーム期間とは、全ての画素に画素電圧を供給するために必要な期間であって、あるゲートバスライン（走査線）が選択され、次にそのゲートバスラインが選択されるまでの期間を意味し、垂直走査期間と言われることもある。画素は、行および列を有するマトリクス状に配列されており、典型的には、ゲートバスラインは画素の行に対応し、ソースバスラインは画素の列に対応する。ゲートバスラインに供給される走査信号（ゲート信号）によって行ごとに画素のＴＦＴをオンにすることで、行ごとに画素電圧が順次供給される。【０００６】
従来の一般的なＴＦＴ型液晶表示装置のフレーム期間は１／６０秒（フレーム周波数は６０Ｈｚ）である。入力映像信号が例えばＮＴＳＣ信号の場合、ＮＴＳＣ信号は、インターレース駆動用の信号であり、１フレーム（フレーム周波数は３０Ｈｚ）が、奇数フィールドおよび偶数フィールドの２つのフィールド（フィールド周波数は６０Ｈｚ）で構成されているが、ＴＦＴ型液晶表示装置では、ＮＴＳＣ信号の各フィールドに対応して、全ての画素に画素電圧を供給するので、ＴＦＴ型液晶表示装置のフレーム期間は１／６０秒（フレーム周波数は６０Ｈｚ）となる。なお、最近では、動画表示特性の向上や３Ｄ表示を行うために、フレーム周波数を１２０Ｈｚにした倍速駆動や、２４０Ｈｚの４倍速駆動のＴＦＴ型液晶表示装置が市販されている。このように、ＴＦＴ型液晶表示装置は、入力される映像信号に応じてフレーム期間（フレーム周波数）を決定し、各フレーム期間に全ての画素に画素電圧を供給するように構成された駆動回路を備えている。【０００７】
近年、In-Plane Switching（ＩＰＳ）モードやFringe Field Switching（ＦＦＳ）モードに代表される横電界モードの液晶表示装置の利用が広がっている。横電界モードの液晶表示装置は、Vertical Alignment（ＶＡ）モードなどの縦電界モードの液晶表示装置に比べて、画素電圧の極性反転に伴う画面のちらつき（フリッカ）が見えやすいという問題がある。これは、液晶層の液晶分子の配向が、ベンド変形やスプレイ変形を伴う変化をすると、液晶分子の配向の非対称に起因した配向分極が生じるためと考えられている。このような双極子（液晶分子）の配列の空間的な不均一性によって生じる分極変化は、フレクソエレクトリック効果（Flexo-electric Effect）と呼ばれている。【０００８】
特許文献１は、画素電極を第１および第２の領域に分割し、第１の領域における櫛歯の数と第２の領域における櫛歯の数とを１つ異ならせ、画素領域内に形成される櫛歯の数と櫛歯間のスリットの数とを同数にすることによってフレクソエレクトリック効果を低減する液晶表示装置を開示している。【０００９】
また、特許文献２は、画素電極が有する複数の帯状部分と平行なダミー電極を隣接する２つの画素電極間の領域に配置するなどして電界の分布を制御するように構成された液晶表示装置を開示している。このような方法によってもフレクソエレクトリック効果を低減することができる。【００１０】
ところで、本願出願人は、酸化物半導体層（例えば、Ｉｎ−Ｇａ−Ｚｎ−Ｏ系の半導体層）を備えたＴＦＴを用いた低消費電力の液晶表示装置を製造販売している。Ｉｎ−Ｇａ−Ｚｎ−Ｏ系半導体層を有するＴＦＴは、高い移動度（ａ−ＳｉＴＦＴに比べ２０倍超）および低いリーク電流（ａ−ＳｉＴＦＴに比べ１００分の１未満）を有している。画素ＴＦＴとして、Ｉｎ−Ｇａ−Ｚｎ−Ｏ系半導体層を有するＴＦＴを用いると、リーク電流が小さいので、休止駆動法（低周波駆動法とよばれることもある）を適用することによって、消費電力を低減することができる。【００１１】
休止駆動法は、例えば、特許文献３に記載されている。休止駆動法は、通常の６０Ｈｚ駆動（１フレーム期間＝１／６０秒間）において、１フレーム期間（１／６０秒間）で画像を書き込んだ後、続く５９フレーム期間（５９／６０秒間）では画像を書き込まないというサイクルを繰り返す。この休止駆動法では、１秒間に１回だけ画像を書き込むので、１Ｈｚ駆動と呼ばれることもある。ここでは、休止駆動法とは、画像を書き込む期間よりも長い休止期間を有する駆動方法、または、フレーム周波数が６０Ｈｚ未満の低周波駆動を指すことにする。【００１２】
フリッカとして視認されやすいかどうかは、輝度の変化が生じる周波数に依存する。例えば、６０Ｈｚでは気にならない輝度の変化も、周波数が６０Ｈｚより小さく、例えば３０Ｈｚ以下になるとフリッカとして視認されやすくなる。特に、１０Ｈｚ付近の周波数で輝度が変化すると、フリッカが非常に気になることが知られている。
【先行技術文献】
【特許文献】
【００１３】
【特許文献１】特開２０１０−２５９６号公報
【特許文献２】特開２０１１−１６９９７３号公報
【特許文献３】国際公開第２０１３／００８６６８号
【特許文献４】特開２０１３−１４７６５７号公報
【特許文献５】特開２００４−１８２９８６号公報
【発明の概要】
【発明が解決しようとする課題】
【００１４】
横電界モードの液晶表示装置で休止駆動を行うとき、従来の通常動作を行う場合に比べてフリッカが生じ易い。画素電圧の極性反転に伴って、液晶層の液晶分子の配向分極の影響がフレーム毎に異なる結果、低周波数での輝度の明滅が生じ、これがフリッカとして視認されるからである。このようなフリッカの発生については特許文献１や特許文献２に記載されている技術では対策できない。【００１５】
本発明は、上記問題点を解決するために為されたものであり、６０Ｈｚ未満の低周波数で駆動してもフリッカが生じ難い、横電界モードのＴＦＴ型液晶表示装置を提供することをその目的とする。
【課題を解決するための手段】
【００１６】
本発明の実施形態による液晶表示装置は、一対の基板と、前記一対の基板間に保持された液晶層であって、誘電異方性が正の１種または複数種のポジ型液晶化合物と誘電異方性が負の１種または複数種のネガ型液晶化合物とを含み、前記ポジ型液晶化合物の合計の含有量が前記ネガ型液晶化合物の合計の含有量を下回らない液晶層と、前記一対の基板のうちの一方の基板に設けられた、複数の直線部分および隣接する２本の前記直線部分の間に設けられたスリットを有する画素電極および前記画素電極と絶縁された共通電極とを備え、前記画素電極と前記共通電極とによって、前記液晶層に、正極性および負極性の画素電圧が６０Ｈｚ未満の周波数で切り替えて印加されるように構成されている。【００１７】
ある実施形態において、前記液晶層に、前記正極性および負極性の画素電圧が３０Ｈｚ以下の周波数で切り替えて印加されるように構成されている。【００１８】
ある実施形態において、前記液晶層に、前記正極性および負極性の画素電圧が１０Ｈｚ以下の周波数で切り替えて印加されるように構成されている。【００１９】
ある実施形態において、前記ネガ型液晶化合物を含み前記ポジ型液晶化合物を含まないネガ型液晶材料を用いて１Ｈｚで駆動したときのフリッカ率は、前記ポジ型液晶化合物を含み前記ネガ型液晶化合物を含まないポジ型液晶材料を前記所定周波数で駆動したときのフリッカ率よりも小さい。【００２０】
ある実施形態において、前記液晶層は、前記ネガ型液晶化合物を２体積％以上３０体積％以下含む。【００２１】
ある実施形態において、前記液晶層は、前記ネガ型液晶化合物を２体積％以上１５体積％以下含む。【００２２】
ある実施形態において、前記ポジ型液晶化合物を含み前記ネガ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第１の低下率で輝度が低下するとともに、画素全体の輝度が一時的に低下した状態における輝度から前記負極性電圧を印加したときの安定輝度まで第２の低下率で輝度が低下し、かつ、前記複数の直線部分上において、前記正極性電圧を印加したときの安定輝度から画素全体の輝度が一時的に低下した状態における輝度まで第１の上昇率で輝度が上昇するとともに、画素全体の輝度が一時的に低下した状態の輝度から前記負極性電圧を印加したときの安定輝度まで第２の上昇率で輝度が上昇する、ポジ型液晶材料であり、前記ネガ型液晶化合物を含み前記ポジ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第３の上昇率で輝度が上昇するとともに、画素全体の輝度が一時的に低下した状態における輝度から前記負極性電圧を印加したときの安定輝度まで第４の上昇率で輝度が上昇し、かつ、前記複数の直線部分上において、前記正極性電圧を印加したときの安定輝度から画素全体の輝度が一時的に低下した状態における輝度まで第３の低下率で輝度が低下するとともに、画素全体の輝度が一時的に低下した状態の輝度から前記負極性電圧を印加したときの安定輝度まで第４の低下率で輝度が低下する、ネガ型液晶材料であり、前記ポジ型液晶材料についての前記第２の低下率と前記第２の上昇率との大きさの差が、前記ネガ型液晶材料についての前記第４の上昇率と前記第４の低下率との大きさの差よりも大きい。【００２３】
ある実施形態において、前記ポジ型液晶材料における前記スリット上での前記第１の低下率は前記第２の低下率よりも大きい。【００２４】
ある実施形態において、前記ネガ型液晶材料における前記スリット上での前記第３の上昇率と前記第４の上昇率との差は、前記ポジ型液晶材料における前記第１の低下率と前記第２の低下率との差よりも小さい。【００２５】
ある実施形態において、実質的に同じ絶対値を有する正極性電圧と負極性電圧とが極性を切り替えて印加されるとき、前記正極性電圧印加時の安定的な画素全体輝度と前記負極性電圧印加時の安定的な画素全体輝度とが実質的に同じ場合において、前記極性を切り替えた直後の所定期間に、前記安定的な画素全体輝度から一時的な画素全体輝度の低下が生じ、前記ポジ型液晶化合物は、前記スリット上において、前記正極性電圧を印加したときの安定的な輝度と前記一時的な画素全体輝度の低下が生じたときの輝度との差である第１の差が、前記一時的な画素全体輝度の低下が生じたときの輝度と前記負極性電圧を印加したときの安定的な輝度との差である第２の差よりも大きくなる液晶化合物からなり、前記ネガ型液晶材料は、前記スリット上において、前記正極性電圧を印加したときの安定的な輝度と前記一時的な画素全体輝度の低下が生じたときの輝度の差である第３の差と、前記一時的な画素全体輝度の低下が生じたときの輝度と前記負極性電圧を印加したときの安定的な輝度との差である第４の差との差異が、前記第１の差と前記第２の差との差異よりも小さくなる液晶化合物からなる。【００２６】
ある実施形態において、前記画素電極に接続された薄膜トランジスタをさらに有し、前記薄膜トランジスタの活性層は酸化物半導体層を含む。【００２７】
ある実施形態において、前記酸化物半導体層はＩｎ−Ｇａ−Ｚｎ−Ｏ系半導体層を含む。【００２８】
ある実施形態において、前記Ｉｎ−Ｇａ−Ｚｎ−Ｏ系半導体層は結晶質部分を含む。
【発明の効果】
【００２９】
本発明の実施形態による液晶表示装置によれば、横電界モードの液晶表示装置で低周波駆動を行うときのフリッカの発生を抑制することができる。
【図面の簡単な説明】
【００３０】
【図１】本発明による実施形態の液晶表示装置１００の構造を模式的に示す図であり、（ａ）は、液晶表示装置１００の模式的な平面図であり、（ｂ）は、（ａ）における１Ｂ−１Ｂ’線に沿った模式的な断面図である。
【図２】ＦＦＳモードの液晶表示装置の画素内の輝度分布を示す図であり、（ａ）は、画素電圧が＋２Ｖのとき、（ｂ）は、画素電圧が−２Ｖのときの輝度分布を示している。
【図３】ＦＦＳモードの液晶表示装置を１Ｈｚで駆動したときの１つの画素の輝度の時間変化を測定した結果を示す図であり、（ａ）はオフセット電圧を印加していない場合の結果を示し、（ｂ）はオフセット電圧を印加した場合の結果を示している。
【図４】（ａ）はポジ型液晶材料を用いた場合において、画素電圧の極性を反転させたときの画素領域での輝度分布を示し、（ｂ）はネガ型液晶材料を用いた場合における画素領域での輝度分布を示す。
【図５】ポジ型液晶材料を用いた場合の輝度の時間変化と、ネガ型液晶材料を用いた場合の輝度の時間変化とを示す。
【図６】ネガ型液晶材料の混合割合とフリッカ率との関係を示す図であり、６０Ｈｚ駆動、３０Ｈｚ駆動、１Ｈｚ駆動のそれぞれの場合を示す。
【図７】（ａ）は、液晶表示装置１００の例示的な駆動回路によって行われる極性反転のシークエンスの１例を示す図であり、（ｂ）は、輝度の時間変化を示す模式図である。
【図８】液晶表示装置１００の例示的な駆動回路によって行われる極性反転のシークエンスの他の例を示す図である。
【図９】液晶表示装置１００の例示的な駆動回路によって行われる極性反転のシークエンスのさらに他の例を示す図である。
【図１０】（ａ）は、液晶表示装置１００の例示的な駆動回路によって行われる極性反転のシークエンスのさらに他の例を示す図であり、（ｂ）は、輝度の時間変化を示す模式図である。
【図１１】本発明の他の実施形態の液晶表示装置の駆動回路によって行われる極性反転のシークエンスの１例を示す図である。
【図１２】極性反転リフレッシュ動作を２Ｈ反転で行うように構成された駆動回路を備える液晶表示装置２００の画素構造を模式的に示す図である。
【発明を実施するための形態】
【００３１】
以下、図面を参照しながら、本発明の実施形態による液晶表示装置を説明する。以下では、ＦＦＳモードの液晶表示装置を例示するが、本発明の実施形態は、例示するＦＦＳモードの液晶表示装置１００に限られず、種々の公知のＦＦＳモードの液晶表示装置に適用できる。また、ＩＰＳモードなどの他の方式の横電界モードの液晶表示装置にも適用できる。
【００３２】
図１（ａ）および（ｂ）は、本発明の実施形態による液晶表示装置１００の構造を模式的に示す。液晶表示装置１００は、ＦＦＳモードのＴＦＴ型液晶表示装置である。図１（ａ）は、液晶表示装置１００の模式的な平面図であり、図１（ｂ）は、図１（ａ）における１Ｂ−１Ｂ’線に沿った模式的な断面図である。図１（ａ）および（ｂ）は、液晶表示装置１００の１つの画素に対応する領域を示している。
【００３３】
液晶表示装置１００は、表示領域において行および列を有するマトリクス状に配列された複数の画素を有しており、表示領域の外側において不図示の駆動回路を有している。駆動回路は、後述するように画素に画素電圧を供給するように構成されていれば良く、複数の画素から構成される表示領域の周辺領域（額縁領域）に配置されてもよいし、別途設けられていてもよい。なお、図１（ａ）には、行方向の画素の配列ピッチをＰｘ、列方向の画素の配列ピッチをＰｙ、有効画素開口幅をＷｏで示している。
【００３４】
液晶表示装置１００は、ＴＦＴ基板（第１基板）１０と、対向基板（第２基板）３０と、ＴＦＴ基板１０と対向基板３０との間に設けられた液晶層４２とを有する。液晶表示装置１００は、さらに不図示の一対の偏光板を有している。一対の偏光板は、ＴＦＴ基板１０および対向基板３０の外側に設けられており、一方の透過軸（偏光軸）が水平方向、他方の透過軸が垂直方向に沿うようにクロスニコルに配置される。
【００３５】
ＴＦＴ基板１０は、液晶層４２側から、第１配向膜２５と、第１電極２４と、誘電体層２３と、第２電極２２とをこの順で有し、第１電極２４は、互いに平行な複数の直線部分２４ｅ（あるいは隣接する２本の直線部分２４ｅの間に設けられるスリット２４ｓまたは切り込み）を有している。ここでは、第１電極２４が複数の直線部分２４ｅを有する構造を例示しているが、第２電極２２が複数の直線部分を有してもよい。直線部分２４ｅは、例えば、第１電極２４を形成する導電膜に複数のスリットを設けることによって形成される。
【００３６】
第１電極２４および第２電極２２のうちの一方が画素電極であり、他方が対向電極（共通電極）であればよい。ここでは、第１電極２４が画素電極であり、第２電極２２が対向電極である例を説明する。
【００３７】
この例の場合、対向電極（第２電極）２２は、典型的にはベタ電極（スリットなどがない膜電極）として設けられる。対向電極は、複数の画素に共通するように表示領域全体に広がるように形成されていてもよい。
【００３８】
また、画素電極２４が有する複数の直線部分２４ｅのそれぞれの幅Ｌは、例えば、１．５μｍ以上５．０μｍ以下であり、隣接する２つの直線部分２４ｅの間隙（スリット２４ｓ）の幅Ｓは、例えば、２．０μｍ超６．０μｍ以下である。画素電極２４および対向電極２２は、ＩＴＯ（インジウム錫酸化物）などの透明導電材料から形成される。
【００３９】
画素電極２４は、ＴＦＴのドレイン電極に接続されており、ＴＦＴを介して、ＴＦＴのソース電極に接続されたソースバスライン（不図示）から、表示信号電圧が供給される。ソースバスラインは列方向に延びるように配置され、ゲートバスラインは行方向に延びるように配置されている。ＴＦＴとしては、酸化物半導体を用いたＴＦＴが好ましい。液晶表示装置１００に好適に用いられる酸化物半導体については後述する。酸化物半導体を用いたＴＦＴを備えるＦＦＳモードの液晶表示装置としては種々の形態が知られている。図１（ｂ）には、一例として、ボトムゲート型のＴＦＴを有する場合の積層構造が模式的に示されている。
【００４０】
ＴＦＴ基板１０は、基板（例えばガラス基板）１１と、その上に形成されたゲートメタル層１２と、ゲートメタル層１２を覆うゲート絶縁層１３と、ゲート絶縁層１３上に形成された酸化物半導体層１４と、酸化物半導体層１４上に形成されたソースメタル層１６と、ソースメタル層１６上に形成された層間絶縁層１７とを有している。
【００４１】
ここでは、簡略化しているが、ゲートメタル層１２はゲート電極、ゲートバスラインおよび対向電極用配線を含み、酸化物半導体層１４はＴＦＴの活性層を含み、ソースメタル層１６は、ソース電極、ドレイン電極およびソースバスラインを含む。対向電極２２は、層間絶縁層１７上に形成されている。必要に応じて、層間絶縁層１７と対向電極２２との間に、さらに平坦化層が設けられることもある。
【００４２】
対向基板３０は、基板（例えばガラス基板）３１上に、液晶層４２側から、第２配向膜３５と、開口部３２ａを有する遮光層３２（ブラックマトリクス）とをこの順で有する。遮光層３２の開口部３２ａには、カラーフィルタ層３４が設けられている。遮光層３２は、例えば、感光性を有する黒色樹脂層を用いて形成することができる。カラーフィルタ層３４も、感光性を有する着色樹脂層を用いて形成することができる。基板３１の外側（液晶層４２とは反対側）に、必要に応じて、帯電を防止するための、ＩＴＯ等からなる透明導電層（不図示）が設けられることもある。
【００４３】
本実施形態の液晶表示装置１００において、液晶層４２は、誘電異方性が正のネマチック液晶化合物（以下、ポジ型液晶化合物と呼ぶ）と、誘電異方性が負のネマチック液晶化合物（以下、ネガ型液晶化合物と呼ぶ）とを含んでいる。より具体的には、液晶層４２は、ポジ型液晶化合物として誘電異方性Δε＞３を満たす液晶化合物を含み、ネガ型液晶化合物として誘電異方性Δε＜−１．５を満たす液晶化合物を含んでいる。なお、本明細書において、誘電異方性Δεは、１ｋＨｚの周波数および２０℃の条件において測定されたものである。
【００４４】
液晶層４２は、ポジ型液晶材料とネガ型液晶材料とを混合させた液晶材料を用いて形成されていてよい。ここで、ポジ型液晶材料とは、単数または複数の種類のポジ型液晶化合物を含む液晶材料を意味している。ポジ型液晶材料は、ポジ型液晶化合物以外に誘電異方性がニュートラルである化合物を含んでいても良い。また、ネガ型液晶材料とは、単数または複数の種類のネガ型液晶化合物を含む液晶材料を意味している。ネガ型液晶材料もまた、ネガ型液晶化合物以外に誘電異方性がニュートラルである化合物を含んでいて良い。
【００４５】
本実施形態において、液晶層４２は、主としてポジ型液晶化合物を含むものであり、液晶層４２におけるポジ型液晶化合物の合計の含有量は、ネガ型液晶化合物の合計の含有量を下回らず、典型的にはネガ型液晶化合物の合計の含有量よりも多い。ネガ型液晶化合物の合計の含有量は、液晶材料全体に対する例えば１体積％以上４０体積％以下、好ましくは２体積％以上３０体積％以下である。また、液晶応答性の低下を防止するという観点からは、ネガ型液晶化合物の合計の含有量を１５体積％以下にすることが好適である。
【００４６】
ネガ型液晶化合物としては、例えば、ＭＬＣ−６６０８（メルク社製）を用いることができる。また、ポジ型液晶化合物としては、例えば、ＺＬＩ−１５６５（メルク社製）を用いることができる。
【００４７】
なお、このようにポジ型液晶化合物とネガ型液晶化合物とを含む液晶材料が、特許文献４または特許文献５に開示されている。特許文献４には、ネガ型液晶材料にポジ型液晶材料を混ぜたときに、応答や温度特性が改善されることが記載されており、特許文献５には、ポジ型液晶材料にネガ型液晶材料を混ぜたときに、応答や温度特性が改善されることが記載されている。
【００４８】
液晶層４２が、適切な量のポジ型液晶化合物とネガ型液晶化合物との両方を含んでいることによって、応答速度や透過率を損なうことなく、特に休止駆動（または６０Ｈｚ未満での低周波駆動）を行うときのフリッカの発生を効果的に抑制することができる。この原理については後述する。
【００４９】
なお、ＦＦＳモードの液晶表示装置１００において、液晶層４２に含まれる液晶分子は、第１配向膜２５および第２配向膜３５によって基板面とほぼ水平に配向している。第１配向膜２５および第２配向膜３５によって規制される配向の方位は、平行または反平行であってよい。第１配向膜２５および第２配向膜３５による配向規制方位は、直線部分２４ｅの延びる方向にほぼ平行である。ただし、直線部分２４ｅの延びる方向に対して配向膜の配向規制方位は例えば３°〜７°異なっていても良い。第１配向膜２５および第２配向膜３５によって規定されるプレチルト角（配向膜の膜面に対する液晶分子の立ち上がり角度）は例えば０°である。
【００５０】
この構成において、画素電圧印加時に、画素電極２４と対向電極２２との間に生じる電界によって液晶分子が面内において回転し、これによって表示を行うことができる。
【００５１】
ここで、従来のＦＦＳモードの液晶表示装置における、極性反転駆動時の輝度分布の変化について説明する。なお、以下に説明する従来の液晶表示装置では、本発明の実施形態とは異なり、液晶層がポジ型液晶材料のみから形成されている。
【００５２】
図２は、従来の液晶表示装置における画素内の輝度分布を示す図であり、図２（ａ）は、画素電圧が＋２Ｖである正極性電圧印加時の輝度分布を示し、図２（ｂ）は、画素電圧が−２Ｖである負極性電圧印加時の輝度分布を示している。ここで、画素電圧は、対向電極２２の電位を基準としたときの画素電極２４の電圧として規定される。
【００５３】
図２（ａ）および図２（ｂ）に示した画素の輝度分布の画像を比較して明らかなように、正の画素電圧（＞０Ｖ）を印加したときの方が、負の画素電圧（＜０Ｖ）を印加したときよりも明るい。ここで示した画素は、試作した液晶表示パネルの画素を顕微鏡で観察することによって得られた画像であり、図１（ａ）および（ｂ）に示した構成を備えているが、液晶層はポジ型の液晶材料から形成されている。
【００５４】
図２（ａ）からわかるように、正の画素電圧を印加すると、画素電極２４のスリット２４ｓにおいて輝度が高く、画素電極２４の直線部分２４ｅにおいて輝度が低い。一方で、図２（ｂ）からわかるように、負の画素電圧を印加すると、画素電極２４の直線部分２４ｅにおいて輝度が高く、画素電極２４のスリット２４ｓにおいて輝度が低い。これは、正極性電圧印加時と負極性電圧印加時とでは、印加電圧の大きさ（絶対値）が同じときにも、それぞれで液晶分子の配向に違いが生じることに起因しているものと考えられる。
【００５５】
この現象をより詳細に説明すると、正極性電圧を印加したときには、液晶分子の局所的な配向秩序の乱れ（例えば縦電界成分に由来するスプレイ配向）によって発生したフレクソエレクトリック分極が、スリット上に位置する液晶分子の横電界成分による面内回転を妨げず、かつ、直線部分上に位置する液晶分子の横電界成分による面内回転を妨げるように作用するものと考えられる。一方で、負極性電圧を印加したときには、正極性電圧の印加時とは異なる配向秩序の乱れおよびフレクソエレクトリック分極が発生し、これがスリット上に位置する液晶分子の面内回転を妨げ、かつ、直線部分上に位置する液晶分子の面内回転を妨げないように作用するものと考えられる。その結果、正極性電圧を印加したときと負極性電圧を印加したときとでは、発生するフレクソエレクトリック分極の違いに応じて、明るくなる領域と暗くなる領域とが異なるものとなると推測される。このように画素電圧の極性に応じて、明るい領域と暗い領域とが異なる態様で形成される場合、画素全体の輝度（平均輝度）も画素電圧の極性に応じて異なりやすい。
【００５６】
また、画素電圧の極性に応じて輝度が変化する画素を交流駆動すると、極性の変化に伴う輝度変化が、特に低周波駆動を行う場合において、フリッカとして視認されやすくなる。これは、オフセット電圧を加えて正極性電圧と負極性電圧とのバランスを調整したとしても、極性切り替え時には輝度低下が発生するからである。例えば１Ｈｚ駆動（１フレーム期間（１／６０秒間）で画像を書き込んだ後、続く５９フレーム期間（５９／６０秒間）では画像を書き込まないというサイクルを繰り返す）を行うと、極性反転した後の短期間に出現する一時的な輝度の変動によってフリッカが視認される。この過渡的な輝度の変化は、特許文献１や特許文献２に記載の技術では解決できない新たな問題である。このことを図３を参照してより詳細に説明する。
【００５７】
図３は、１Ｈｚ駆動を行ったときの１画素の輝度の時間変化を測定した結果を示す図であり、図３（ａ）はオフセット電圧を印加していない場合の結果を示し、図３（ｂ）はオフセット電圧を印加した場合の結果を示している。オフセット電圧とは、一般の液晶表示装置においても、フリッカを防止するために印加される直流電圧であり、主に、ＴＦＴの引き込み電圧によって画素電圧の絶対値が正極性と負極性とで異なることを防止するために画素電極および／または対向電極に印加される電圧成分である。
【００５８】
図３（ａ）に示すように、オフセット電圧を印加しないと、画素電圧が正極性のときと、負極性のときとで輝度が大きく異なる。これに対して、オフセット電圧を印加すると、図３（ｂ）に示すように、正極性のときと負極性のときとの輝度の差をほとんどなくすことができる。
【００５９】
しかしながら、図３（ｂ）からわかるように、たとえオフセット電圧を印加したとしても、画素電圧の極性を反転させた直後のタイミングで、瞬時的な輝度の低下が発生する。言い換えると、画素電圧の極性を切り替えた直後の短期間（例えば数ミリ秒間）において画素が一瞬暗くなり、その後、画素が再び明るく戻る現象が生じる。このように極性切り替えのタイミングで周期的に発生する輝度の一時低下は、特許文献１および２に記載の技術を含む、従来の技術では解決できない。
【００６０】
なお、上記の一時的に低下した輝度を、本明細書では、輝度ｍｉｎ（または低下輝度）と称することがある。この輝度ｍｉｎは、画素電圧の絶対値が一定である条件で駆動したときにおいても極性切り替え時に生じる一時的な平均輝度（画素全体の輝度）の低下状態、または、このときの輝度（平均輝度）の最小を意味している。輝度ｍｉｎは、正極性画素電圧または負極性画素電圧が安定的に印加されている期間における所定領域（例えばスリット上の領域）での最小の輝度を意味するものではない。画素電圧の極性切り替え時以外における画素内の所定領域での最小の輝度は、輝度ｍｉｎを下回っていて良い。
【００６１】
極性切り替えごとに生じる上記の輝度の落ち込みは、フレーム周波数に応じた頻度で発生する。このため、休止駆動などにおいて、６０Ｈｚ未満での駆動を行う場合には、輝度の落ち込みも６０Ｈｚ未満の頻度で生じ、これがフリッカとして視認されやすい。
【００６２】
これに対して、本実施形態の液晶表示装置１００のように、ポジ型液晶化合物とネガ型液晶化合物とを含む液晶層４２を用いると、特に低周波駆動時におけるフリッカの発生を抑制することができる。この理由は、ネガ型液晶化合物を所定量だけ混合することによって、上記の極性切り替え時の一時的な輝度低下を緩和できるからである。
【００６３】
図４（ａ）および（ｂ）は、ポジ型液晶材料（ポジ型液晶化合物を含みネガ型液晶化合物を含まない液晶材料）とネガ型液晶材料（ネガ型液晶化合物を含みポジ型液晶化合物を含まない液晶材料）とをそれぞれ用いた場合における、画素電極の直線部分上およびスリット上における輝度（画素内の輝度分布）を示す図である。図４（ａ）および（ｂ）のそれぞれにおいて、正電圧印加時の輝度分布、負電圧印加時の輝度分布、および、上記の輝度ｍｉｎのとき（すなわち極性切り替え直後の短期間）における輝度分布が示されている。
【００６４】
図４（ａ）に示すように、ポジ型液晶材料を用いる場合において、画素電圧の極性が正から負に反転するとき、画素電極のスリット２４ｓの上では、輝度が高い状態（正電圧印加時の安定状態）から、輝度が低い状態（負電圧印加時の安定状態）へと輝度が変化する。また、画素電極の直線部分２４ｅの上では、輝度が低い状態から輝度が高い状態へと輝度が変化する。この過程において、図３（ｂ）に示したように、画素全体の輝度の一時的な落ち込みが生じ、この輝度落ち込み状態に対応する図４（ａ）の輝度ｍｉｎで示す輝度分布が実現される。
【００６５】
ここで、図４（ａ）からわかるように、スリット２４ｓの上では、正極性輝度から輝度ｍｉｎまで急激に輝度低下が生じ、その後、輝度ｍｉｎから負極性輝度までは緩やかに輝度低下が生じる。また、これとは異なり、直線部分２４ｅの上では、正極性輝度から輝度ｍｉｎまでの輝度の上昇の程度と、輝度ｍｉｎから負極性輝度までの輝度の上昇の程度とが同等になる。
【００６６】
この場合、スリット２４ｓ上における時間当たりの輝度低下率が、直線部分２４ｅ上における時間当たりの輝度上昇率を大きく上回るため、ある時間において画素全体としての輝度低下度が輝度上昇度を大きく上回る状態に陥る。このため、画素全体の輝度が、極性切り替え直後のあるタイミングで大幅に低下することになり、輝度ｍｉｎにおける輝度の落ち込みが大きいものとなる。
【００６７】
同様の現象は、負電圧印加の安定状態から正電圧印加の安定状態に切り替わるときにも生じる。このため、ポジ型液晶材料を用いた場合には、正から負または負から正への極性切り替えのタイミングごとに、比較的大きな輝度低下が生じる。
【００６８】
一方で、図４（ｂ）に示すように、ネガ型液晶材料を用いる場合において、画素電圧の極性が正から負に反転するとき、画素電極のスリット２４ｓの上では、輝度が低い状態（正電圧印加時の安定状態）から、輝度が高い状態（負電圧印加の安定状態）へと輝度が変化する。また、画素電極の直線部分２４ｅの上では、輝度が高い状態から輝度が低い状態へと輝度が変化する。この過程において、図３（ｂ）に示したように、全体輝度の一時的な落ち込みが生じ、この輝度落ち込み状態に対応する図４（ｂ）の輝度ｍｉｎで示す輝度分布が実現される。
【００６９】
ここで、図４（ｂ）からわかるように、スリット２４ｓの上では、正極性輝度から輝度ｍｉｎまで一定的な輝度上昇が生じ、その後、輝度ｍｉｎから負極性輝度までも同様の一定的な輝度上昇が生じる。また、これと同様に、直線部分２４ｅの上においても、正極性輝度から輝度ｍｉｎまで、また、輝度ｍｉｎから負極性輝度まで、比較的一定的な輝度低下が生じる。
【００７０】
この場合、スリット２４ｓ上における時間当たりの輝度低下率と、直線部分２４ｅ上における時間当たりの輝度上昇率とが比較的近いものであるので、画素全体としての輝度低下度と輝度上昇度とが、極性切り替え期間を通じてそれほど変わらない。このため、輝度ｍｉｎにおける輝度の落ち込みの程度は比較的小さいものとなる。
【００７１】
同様の現象は、負電圧印加の安定状態から正電圧印加の安定状態に切り替わるときにも生じる。このため、ネガ型液晶材料を用いた場合には、正から負または負から正への極性切り替えのタイミングにおいて生じる輝度低下の大きさが、ポジ型液晶材料を用いた場合に比べて小さいものとなる。
【００７２】
図５は、ポジ型液晶材料およびネガ型液晶材料のそれぞれについて、オフセット電圧印加の極性反転駆動を行ったときの平均輝度の時間変化を示す。なお、グラフの縦軸において示される輝度は、正電圧または負電圧印加の安定状態における最大輝度によって規格化されている。
【００７３】
また、図５に示すのは、行方向画素配列ピッチＰｘ＝２７μｍ、列方向画素配列ピッチＰｙ＝８１μｍ、有効画素開口幅Ｗｏ＝１９μｍ、画素電極の幅Ｌとスリットの幅Ｓの比Ｌ／Ｓ＝３．１μｍ／５μｍ、複屈折率Δｎ＝１．０３、印加電圧±１．５Ｖ、セルギャップ３．４μｍの条件で得られた結果である。ここで用いたポジ型液晶材料の誘電異方性Δε＝７．５であり、ネガ型液晶材料の誘電異方性Δε＝−７．５である。
【００７４】
図５から分かるように、ポジ型液晶材料を用いたとき（実線）に比べて、ネガ型液晶材料を用いたとき（破線）の方が、極性切り替え時における輝度の落ち込みが小さくなる。したがって、ネガ型液晶材料を用いれば、極性切り替え時の輝度の落ち込みを小さくでき、特に休止駆動時におけるフリッカの発生を抑制することができる。
【００７５】
なお、フリッカの発生を評価する指標としては、（最大輝度−最小輝度）／平均輝度で定義されるフリッカ率を用いることができる。本発明者の実験によれば、１Ｈｚで駆動した場合において、ポジ型液晶材料を用いた場合のフリッカ率が２６％であったのに対し、ネガ型液晶材料を用いた場合のフリッカ率は７％であった。このように、ネガ型液晶材料を用いれば、ポジ型液晶材料を用いる場合に比べてフリッカ率を大幅に低下させることができる。
【００７６】
なお、フリッカ率を規定する「最大輝度」「最小輝度」および「平均輝度」は、公知の一般的な方法により、フォトダイオードを用いて検出した液晶パネルの輝度の波形データから容易に求めることができる。すなわち、得られた波形データにおいて、最も明るい輝度を最大輝度とし、最も暗い輝度を最小輝度とし、全体の平均を平均輝度とすればよい。
【００７７】
ただし、ネガ型液晶材料のみを用いて液晶層を形成することは実用上困難であることが多い。ネガ型液晶材料はポジ型液晶材料に比べて粘性が高いことが多く、液晶の応答性が低下するという問題が生じ得るからである。
【００７８】
そこで本発明者らは、ポジ型液晶材料とネガ型液晶材料とを混合して用い、それらの混合率（より具体的には、ポジ型液晶材料に含まれるポジ型液晶化合物の合計量およびネガ型液晶材料に含まれるネガ型液晶化合物の合計量）を適切に選択することによって、透過率や応答性の低下が表示に悪影響を与えない範囲で、特に６０Ｈｚ未満、特に３０Ｈｚ以下での駆動においてもフリッカが生じにくい液晶表示装置を得ることについて鋭意検討した。
【００７９】
図６は、６０Ｈｚ、３０Ｈｚ、１０Ｈｚ、および、１Ｈｚのそれぞれで駆動する場合において、ネガ型液晶化合物とポジ型液晶化合物との混合割合を変えて、フリッカ発生率の変化を調べた結果を示す。なお、図６のグラフは、シミュレーションソフトのＬＣＤ  Ｍａｓｔｅｒ２Ｄ（シンテック社製）を用いて得られたグラフである。
【００８０】
図６からわかるように、液晶材料全体に対するネガ型液晶化合物の合計の比率（体積％）を０％〜５０％まで変化させると、より多いネガ型液晶化合物を含む方が、いずれの駆動周波数においてもフリッカ率が低下することがわかる。また、特に１Ｈｚという低い周波数での駆動の場合に、ネガ型液晶化合物を含まない場合に比べて、大幅にフリッカ率を低減できることがわかる。
【００８１】
以上の結果から、６０Ｈｚ未満の駆動周波数においては、５０体積％以下のネガ型液晶化合物を液晶材料に含ませることによって、フリッカの発生を抑制しながら、実用的な液晶材料を得ることができることがわかった。また、３０Ｈｚ以下、特に１０Ｈｚ以下の周波数で駆動する場合において、液晶層が２〜３０体積％のネガ型液晶化合物（残りはポジ型液晶化合物）を含んでいることがフリッカ抑制のために効果的であることがわかった。
【００８２】
また、ネガ型液晶化合物の含有量を５０体積％以下に抑えることによって、透過率および液晶の応答性も良好に保たれることが確認された。なお、図６からわかるように、特に１Ｈｚ駆動などの駆動周波数が非常に低い動作（例えば、１０Ｈｚ以下）を行うときには、１０体積％程度のネガ型液晶化合物を含ませることで十分にフリッカ率改善の効果が得られることがわかった。透過率および応答性を考慮すると、例えば１Ｈｚ〜１０Ｈｚの駆動を行う場合には、ネガ型液晶化合物の含有量を１体積％以上２０体積％以上、より特定的には２体積％以上１５体積％以下と比較的少量にすればよい。
【００８３】
このように、本実施形態の液晶表示装置は、画素電圧の極性切り替え時に一時的な輝度低下が生じる横電界モードの液晶表示装置であるが、上記の一時的な輝度低下が生じたときの最低輝度を低下輝度（輝度ｍｉｎ）とするとき、液晶層に含まれるポジ型液晶化合物およびネガ型液晶化合物としては次のような条件を満たすものが用いられる。
【００８４】
すなわち、本実施形態において用いられるポジ型液晶化合物を含みネガ型液晶化合物を含まない液晶材料（ポジ型液晶材料）は、画素電極のスリット２４ｓ上において、図４（ａ）に示すように、正極性時輝度と低下輝度との差である差Ａ１（第１の差）が、負極性時輝度と低下輝度との差Ｂ１（第２の差）よりも実質的に大きくなる材料である。差Ａ１：差Ｂ１は、例えば、４：１以上２：１以下である。また、画素電極の直線部分２４ｅ上において、正極性時輝度と低下輝度との差である差Ａ２（第５の差）が、負極性時輝度と低下輝度との差Ｂ２（第６の差）とさほど変わらない。差Ａ２：差Ｂ２は、例えば、２：１以上１：１以下である。また、スリット上における差Ａ１（輝度低下度）と、直線部分上における差Ａ２（輝度上昇度）との差は、２０％以下である。
【００８５】
一方で、本実施形態において用いられるネガ型液晶化合物を含みポジ型液晶化合物を含まない液晶材料（ネガ型液晶材料）は、画素電極のスリット２４ｓ上において、図４（ｂ）に示すように、正極性時輝度と低下輝度との差である第３の差Ｃ１と、負極性時輝度と低下輝度との差Ｄ１（第４の差）とがそれほど変わらない材料である。差Ｃ１：差Ｄ１は、例えば、１：２以上１：１以下である。また、画素電極の直線部分２４ｅ上において、正極性時輝度と低下輝度との差である差Ｃ２（第７の差）が、負極性時輝度と低下輝度との差Ｄ２（第８の差）とさほど変わらない。差Ｃ２：差Ｄ２は、例えば、１：２以上１：１以下である。
【００８６】
そして、ネガ型液晶材料における差Ｃ１と差Ｄ１との差は、ポジ型液晶材料における差Ａ１と差Ｂ１との差よりも小さい。また、ネガ型液晶材料における差Ｄ１と差Ｄ２との差は、ポジ型液晶材料における差Ｂ１と差Ｂ２との差よりも小さい。
【００８７】
以上に説明したように、液晶表示装置１００では、ポジ型液晶化合物と所定量のネガ型液晶化合物とを含む液晶層を用いているので、正極性電圧と負極性電圧とが交互に印加される駆動において極性切り替え時の輝度低下が緩和され、フリッカが抑制される。なお、上記の液晶表示装置は、液晶層に正極性電圧と負極性電圧とが交互に印加されるように構成されるものと説明しているが、液晶層に常に０Ｖ超および０Ｖ未満の画素電圧が供給されるように動作が行われなくてもよい。上記の正極性電圧と負極性電圧とは０Ｖを含み得るものであり、例えば、０Ｖの電圧が複数フレーム期間にわたって印加されてもよい。また、本実施形態の液晶表示装置において最低階調電圧は必ずしも０Ｖに設定される必要はなく、正または負の極性を持つ微小なオフセット電圧であってもよい。この場合、最低階調で表示が行われるとき、液晶層には微小な正極性または負極性の電圧が継続的に印加され得る。本発明の実施形態による液晶表示装置は、このような場合も含め、実質的な画素電圧（最低階調電圧以外）として正極性の画素電圧と負極性の画素電圧とが切り替えて印加され得るように構成されている。
【００８８】
なお、本発明の実施形態による液晶表示装置１００のＴＦＴとして、酸化物半導体層を有するＴＦＴを用いることが好ましい。酸化物半導体として、Ｉｎ−Ｇａ−Ｚｎ−Ｏ系の半導体（以下、「Ｉｎ−Ｇａ−Ｚｎ−Ｏ系半導体」と略する。）が好ましく、結晶質部分を含むＩｎ−Ｇａ−Ｚｎ−Ｏ系半導体がさらに好ましい。ここで、Ｉｎ−Ｇａ−Ｚｎ−Ｏ系半導体は、Ｉｎ（インジウム）、Ｇａ（ガリウム）、Ｚｎ（亜鉛）の三元系酸化物であって、Ｉｎ、ＧａおよびＺｎの割合（組成比）は特に限定されず、例えばＩｎ：Ｇａ：Ｚｎ＝２：２：１、Ｉｎ：Ｇａ：Ｚｎ＝１：１：１、Ｉｎ：Ｇａ：Ｚｎ＝１：１：２等を含む。
【００８９】
Ｉｎ−Ｇａ−Ｚｎ−Ｏ系半導体層を有するＴＦＴは、高い移動度（ａ−ＳｉＴＦＴに比べ２０倍超）および低いリーク電流（ａ−ＳｉＴＦＴに比べ１００分の１未満）を有しているので、画素ＴＦＴだけでなく駆動ＴＦＴとしても好適に用いられる。Ｉｎ−Ｇａ−Ｚｎ−Ｏ系半導体層を有するＴＦＴを用いれば、表示装置の有効開口率を増大させるとともに、表示装置の消費電力を削減することが可能になる。
【００９０】
Ｉｎ−Ｇａ−Ｚｎ−Ｏ系半導体は、アモルファスでもよいし、結晶質部分を含んでもよい。結晶質Ｉｎ−Ｇａ−Ｚｎ−Ｏ系半導体としては、ｃ軸が層面に概ね垂直に配向した結晶質Ｉｎ−Ｇａ−Ｚｎ−Ｏ系半導体が好ましい。このようなＩｎ−Ｇａ−Ｚｎ−Ｏ系半導体の結晶構造は、例えば、特開２０１２−１３４４７５号公報に開示されている。参考のために、特開２０１２−１３４４７５号公報の開示内容の全てを本明細書に援用する。
【００９１】
酸化物半導体層は、Ｉｎ−Ｇａ−Ｚｎ−Ｏ系半導体の代わりに、他の酸化物半導体を含んでいてもよい。例えばＺｎ−Ｏ系半導体（ＺｎＯ）、Ｉｎ−Ｚｎ−Ｏ系半導体（ＩＺＯ（登録商標））、Ｚｎ−Ｔｉ−Ｏ系半導体（ＺＴＯ）、Ｃｄ−Ｇｅ−Ｏ系半導体、Ｃｄ−Ｐｂ−Ｏ系半導体、ＣｄＯ（酸化カドミウム）、Ｍｇ−Ｚｎ−Ｏ系半導体、Ｉｎ−Ｓｎ−Ｚｎ−Ｏ系半導体（例えばＩｎ2Ｏ3−ＳｎＯ2−ＺｎＯ）、Ｉｎ−Ｇａ−Ｓｎ−Ｏ系半導体などを含んでいてもよい。
【００９２】
また、本実施形態の液晶表示装置１００には、上記の極性切り替え時の輝度の一時的な落ち込みを低減するために適した駆動方法を適用することもできる。このような駆動方法は、本願発明者によって出願された国際公開第２０１５／０２５７７２号に記載されている。参考のため国際公開第２０１５／０２５７７２号の開示内容の全てを本願に援用する。なお、液晶表示装置１００は、６０Ｈｚ未満（例えば、１０Ｈｚ以下）での休止駆動を実現することができる公知の構成による駆動回路を備えていてよく、その構成は容易に理解される。
【００９３】
以下、図７〜図１０を参照して液晶表示装置１００の駆動方法について説明する。なお、図７〜図１０において、極性反転を行う画素を太線で囲み、画素電圧を印加する画素にハッチングを付している。
【００９４】
液晶表示装置１００が有する駆動回路は、入力映像信号に応じて決められるフレーム期間に相当する時間間隔をリフレッシュ期間とすると、第１のリフレッシュ期間内に、複数の画素の内の奇数行または偶数行の画素にだけ、その画素に保持されている電圧とは逆極性の画素電圧を供給する、第１極性反転リフレッシュ動作と、第１のリフレッシュ期間の後に、リフレッシュ期間よりも長い時間間隔を有する休止期間にわたって、複数の画素のいずれにも画素電圧を供給しない休止動作と、休止動作の直後の第２のリフレッシュ期間内に第１極性反転リフレッシュ動作によって逆極性の画素電圧が供給されなかった偶数行または奇数行の画素にだけ、その画素に保持されている電圧とは逆極性の画素電圧を供給する、第２極性反転リフレッシュ動作とを行うように構成されている。第１極性反転リフレッシュ動作および第２極性反転リフレッシュ動作は、いずれも１行毎に極性反転が行われる。このような極性反転を「１Ｈ反転」ということがある。図７〜図１０に示す駆動方法は、全てこの条件を満足している。
【００９５】
図７〜図９に示す実施形態においては、第１のリフレッシュ期間内において、第１極性反転リフレッシュ動作によって逆極性の画素電圧が供給されない、偶数行または奇数行の画素が保持する電圧の極性は反転しない。したがって、第１極性反転リフレッシュ動作において、画素に画素電圧を供給する時間を従来よりも長くできるという利点が得られる。
【００９６】
まず、図７（ａ）を参照して、極性反転リフレッシュ動作を１Ｈ反転で行う駆動方法の例を説明する。図７（ａ）は、本発明の実施形態による液晶表示装置１００の駆動回路によって行われる極性反転のシークエンスの１例を示す図である。
【００９７】
図７（ａ）に示すように、あるフレームＡでは、列毎に画素電圧の極性が逆になるように配列されている（列反転状態またはソースバスライン反転状態ということがある）。
【００９８】
次のフレームＢに対応する第１のリフレッシュ期間内に、複数の画素の内の奇数行（または偶数行）の画素にだけ、その画素に保持されている電圧とは逆極性の画素電圧を供給する第１極性反転リフレッシュ動作を行い、第１極性反転リフレッシュ動作によって逆極性の画素電圧が供給されない、偶数行または奇数行の画素には、画素電圧を供給しない。したがって、第１のリフレッシュ期間内において、第１極性反転リフレッシュ動作によって逆極性の画素電圧が供給される期間は、リフレッシュ期間の２分の１超とすることができるので、画素への充電を十分に行うことができる。なお、フレームＢの極性分布は、列方向および行方向のいずれの方向においても互いに隣接する画素の画素電圧の極性が互いに逆である、いわゆるドット反転（１Ｈドット反転）状態となっている。
【００９９】
フレームＢの後、リフレッシュ期間（フレーム期間）よりも長い時間間隔（ここでは、５９／６０フレーム）を有する休止期間にわたって、複数の画素のいずれにも画素電圧を供給しない休止動作を行う。
【０１００】
次に、休止動作の直後のフレームＣに対応する第２のリフレッシュ期間内に、第１極性反転リフレッシュ動作によって逆極性の画素電圧が供給されなかった偶数行（または奇数行）の画素にだけ、その画素に保持されている電圧とは逆極性の画素電圧を供給する、第２極性反転リフレッシュ動作を行う。このときも、先と同様に、第２極性反転リフレッシュ動作によって逆極性の画素電圧が供給されない、奇数行または（偶数行）の画素には、画素電圧を供給しない。フレームＣの極性分布は、列反転状態となり、フレームＡのときと正・負が逆である。
【０１０１】
この後、休止動作を行った後、奇数行と偶数行とを逆にして、先の動作を繰り返すことによって（フレームＤおよびＥ）、フレームＡと同じ極性分布に戻る。フレームＤでは、ドット反転状態（「１Ｈドット反転」を単に「ドット反転」という。）となり、極性分布はフレームＢのときと正・負が逆である。フレームＥはフレームＡと同じ極性分布を有している。
【０１０２】
このように、図７（ａ）に例示した駆動方法における極性分布は、列反転状態とドット反転状態とがリフレッシュ期間毎に交互に現れる。図７（ａ）では、フレームＡを列反転状態とし、フレームＡ→Ｂ→Ｃ→Ｄ→Ｅ（＝Ａ）と極性を変化させた場合を示したが、これに限られず、例えば、ドット反転状態であるフレームＤから初めて、フレームＤ→Ｃ→Ｂ→Ａ（＝Ｅ）と極性を変化させてもよい。
【０１０３】
このような駆動方法を採用すると、図７（ｂ）に示すように、極性反転のときの輝度の低下を約２分の１にすることができる。その結果、６０Ｈｚ未満の周波数で駆動してもフリッカが視認され難い。
【０１０４】
なお、図８に示す極性反転のシークエンスを行うように駆動回路を構成してもよい。すなわち、図７（ａ）に示したシークエンスでは、１リフレッシュ期間（フレーム期間）において、１回だけ極性反転リフレッシュ動作を行ったのに対し、図８に示すシークエンスでは、第１のリフレッシュ期間内において、第１極性反転リフレッシュ動作によって逆極性の画素電圧が供給された奇数行（または偶数行）の画素にだけ、逆極性の画素電圧を再び供給する。第２のリフレッシュ期間についても同様である。すなわち、フレームＢを２つのサブフレームＢ１（１／１２０秒）およびＢ２（１／１２０秒）に分割し、それぞれのサブフレームに対応する期間に、同じ逆極性の画素電圧を供給する。このとき、逆極性の画素電圧が供給される期間は、リフレッシュ期間の２分の１以下である。ＴＦＴ型液晶表示装置は、よく知られているように、画素電圧を１回印加するだけでは、画素が所望の電圧に到達しない。もちろん、オーバーシュート駆動を行ってもよいが、図８に例示したように、画素電圧を２回続けて印加することによって、所望の電圧に到達するように構成してもよい。フレームＣ以降についても同様である。
【０１０５】
図７および図８に示したシークエンスでは、極性反転を行う画素に対してのみ画素電圧を供給するので、複数の画素のそれぞれに画素電圧が供給される時間間隔は、休止期間の２倍以上となっている。すなわち、各画素は、従来よりも長い時間（２倍以上）にわたって画素電圧を保持する必要がある。ＴＦＴの特性によっては、画素が保持する電圧が低下するおそれがある。
【０１０６】
そのような場合には、図９に示す極性反転のシークエンスを行うように駆動回路を構成してもよい。すなわち、図９に示すシークエンスでは、第１のリフレッシュ期間内において、第１極性反転リフレッシュ動作に加えて、第１極性反転リフレッシュ動作によって逆極性の画素電圧が供給されなかった偶数行（または奇数行）の画素にだけ、その画素に保持されている電圧と同極性の画素電圧を供給する、第１極性維持リフレッシュ動作を行う。従って、図９のシークエンスを採用すると、各リフレッシュ期間において全ての画素に画素電圧が供給されるので、複数の画素のそれぞれに画素電圧が供給される時間間隔は休止期間と等しい。
【０１０７】
さらに、図１０に示す極性反転のシークエンスを行うように駆動回路を構成してもよい。図１０に示すシークエンスでは、第１のリフレッシュ期間内において、第１極性反転リフレッシュ動作に加えて、第１極性反転リフレッシュ動作によって逆極性の画素電圧が供給されなかった偶数行（または奇数行）の画素にだけ、その画素に保持されている電圧とは逆極性の画素電圧を供給する、第２極性反転リフレッシュ動作を行う。すなわち、フレームＢを２つのサブフレームＢ１（１／１２０秒）およびＢ２（１／１２０秒）に分割し、サブフレームＢ１に対応する期間内に第１極性反転リフレッシュ動作を行い、サブフレームＢ２に対応する期間内に第２極性反転リフレッシュ動作を行う。
【０１０８】
このような駆動方法を採用すると、図１０（ｂ）に示すように、極性反転のときの輝度の低下が２回起こることにはなるが、低下の度合いを約２分の１にすることができる。したがって、６０Ｈｚ未満の周波数で駆動してもフリッカが視認され難い。
【０１０９】
上記の実施形態による液晶表示装置は、第１のリフレッシュ期間内および第２のリフレッシュ期間内に、奇数行または偶数行の画素にだけ、その画素に保持されている電圧とは逆極性の画素電圧を供給する極性反転リフレッシュ動作（１Ｈ反転）を行うように構成された駆動回路を有しているが、本発明の実施形態による液晶表示装置は、これに限られず、第１のリフレッシュ期間内に、互いに隣接する奇数行と偶数行とを１つの対とする複数の対の奇数対または偶数対の画素にだけ、その画素に保持されている電圧とは逆極性の画素電圧を供給する極性反転リフレッシュ動作（２Ｈ反転）を行うように構成された駆動回路を有してもよい。
【０１１０】
このような駆動回路は、具体的には、第１のリフレッシュ期間内に、複数の画素の互いに隣接する奇数行と偶数行とを１つの対とする複数の対の奇数対または偶数対の画素にだけ、その画素に保持されている電圧とは逆極性の画素電圧を供給する、第１極性反転リフレッシュ動作と、第１のリフレッシュ期間の後に、リフレッシュ期間よりも長い時間間隔を有する休止期間にわたって、複数の画素のいずれにも画素電圧を供給しない休止動作と、休止動作の直後の第２のリフレッシュ期間内に、第１極性反転リフレッシュ動作によって逆極性の画素電圧が供給されなかった偶数対または奇数対の画素にだけ、その画素に保持されている電圧とは逆極性の画素電圧を供給する、第２極性反転リフレッシュ動作とを行うように構成されている。第１極性反転リフレッシュ動作および第２極性反転リフレッシュ動作は、いずれも２行毎に行われるので、「２Ｈ反転」ということがある。
【０１１１】
図１１を参照して、極性反転リフレッシュ動作を２Ｈ反転で行う駆動方法の例を説明する。図１１は、極性反転リフレッシュ動作を２Ｈ反転で行うように構成された駆動回路によって行われる極性反転のシークエンスの例を示す図であり、極性反転リフレッシュ動作を１Ｈ反転で行う場合の図７（ａ）に対応する。ただし、ここでは、フレームＡにおける極性分布は２Ｈドット反転状態となっている。
【０１１２】
図１１に示すように、フレームＡでは、２行毎に画素電圧の極性が逆になるように配列されている（２Ｈドット反転状態）。
【０１１３】
次のフレームＢに対応する第１のリフレッシュ期間内に、複数の画素の内の互いに隣接する奇数行と偶数行とを１つの対とする複数の対の奇数対（または偶数対）の画素にだけ、その画素に保持されている電圧とは逆極性の画素電圧を供給する第１極性反転リフレッシュ動作を行い、第１極性反転リフレッシュ動作によって逆極性の画素電圧が供給されない、偶数行または奇数行の画素には、画素電圧を供給しない。したがって、第１のリフレッシュ期間内において、第１極性反転リフレッシュ動作によって逆極性の画素電圧が供給される期間は、リフレッシュ期間の２分の１超とすることができるので、画素への充電を十分に行うことができる。なお、フレームＢの極性分布は、列毎に画素電圧の極性が逆になるように配列されている（列反転状態またはソースバスライン反転状態）。
【０１１４】
フレームＢの後、リフレッシュ期間（フレーム期間）よりも長い時間間隔（ここでは、５９／６０フレーム）を有する休止期間にわたって、複数の画素のいずれにも画素電圧を供給しない休止動作を行う。
【０１１５】
次に、休止動作の直後のフレームＣに対応する第２のリフレッシュ期間内に、第１極性反転リフレッシュ動作によって逆極性の画素電圧が供給されなかった偶数対（または奇数対）の画素にだけ、その画素に保持されている電圧とは逆極性の画素電圧を供給する、第２極性反転リフレッシュ動作を行う。このときも、先と同様に、第２極性反転リフレッシュ動作によって逆極性の画素電圧が供給されない、奇数対（または偶数対）の画素には、画素電圧を供給しない。フレームＣの極性分布は、２Ｈドット反転状態となり、フレームＡのときと正・負が逆である。
【０１１６】
この後、休止動作を行った後、奇数対と偶数対とを逆にして、先の動作を繰り返すことによって（フレームＤおよびＥ）、フレームＡと同じ極性分布に戻る。フレームＤでは、列反転状態となり、極性分布はフレームＢのときと正・負が逆である。フレームＥはフレームＡと同じ極性分布を有している。
【０１１７】
このように、図１１に例示した駆動方法における極性分布は、２Ｈドット反転状態と列反転状態とがリフレッシュ期間毎に交互に現れる。図１１では、フレームＡを２Ｈドット反転状態とし、フレームＡ→Ｂ→Ｃ→Ｄ→Ｅ（＝Ａ）と極性を変化させた場合を示したが、これに限られず、例えば、列反転状態であるフレームＤから初めて、フレームＤ→Ｃ→Ｂ→Ａ（＝Ｅ）と極性を変化させてもよい。
【０１１８】
このように極性反転リフレッシュ動作を２Ｈ反転で行っても、極性反転リフレッシュ動作を１Ｈ反転で行う場合と同様に、６０Ｈｚ未満の周波数で駆動してもフリッカが視認され難いという効果を得ることができる。同様に、図８、図９および図１０（ａ）に示した他の極性反転シークエンスの例についても同様である。
【０１１９】
図１２に、極性反転リフレッシュ動作を２Ｈ反転で行うように構成された駆動回路を備える液晶表示装置２００の画素構造を模式的に示す。液晶表示装置２００の駆動回路は、図１１に示した極性反転のシークエンスを行うことができる。
【０１２０】
液晶表示装置２００は、疑似デュアルドメイン構造を有するＦＦＳモードの液晶表示装置であり、液晶表示装置２００が有する複数の画素は、電極構造が異なる２種類の画素Ｐａと画素Ｐｂとを有している。画素Ｐａと画素Ｐｂとは、例えばここで例示するように、画素電極が有する直線部分（またはスリット）が延びる方向が互いに異なる。画素Ｐａおよび画素Ｐｂに電圧を印加すると、液晶分子は互いに異なる方向に回転し、ダイレクタが互いに交差する２種類の液晶ドメインが形成される。この２種類の液晶ドメインがリタデーションを相互に補償しあうので、視角による色ずれを抑制することができる。２種類の液晶ドメインを１つの画素内に形成する構造をデュアルドメイン構造というのに対し、隣接する２つの画素で２種類の液晶ドメインを形成する構造を擬似デュアルドメイン構造という。擬似デュアルドメイン構造は、画素が小さい、モバイル機器用の高精細な液晶表示装置に好適に用いられる。疑似デュアルドメイン構造を有するＦＦＳモードの液晶表示装置は、例えば、特開２００９−２３７４１４号公報に開示されている。また、特開２０００−２９０７２号公報には、疑似デュアルドメインを有するＩＰＳモードの液晶表示装置が開示されている。参考のために、特開２００９−２３７４１４号公報および特開２０００−２９０７２号公報の開示内容の全てを本明細書に援用する。
【０１２１】
液晶表示装置２００は、画素Ｐａのみからなる画素行と、これに隣接する画素Ｐｂのみからなる画素行とが、列方向に交互に配列されている。互いに隣接する奇数行と偶数行とを１つの対（Ｐｐ）とすると、複数の画素は、奇数対（例えばＰｐ（ｎ））および偶数対（例えばＰｐ（ｎ＋１））とで構成され、奇数対と偶数対とは、列方方向に交互に配列されている。ここで、ｎは正の整数であり、例えば、図１２において、ｎ＝１とすると、対Ｐｐ（１）は、１行目の画素Ｐａと、２行目の画素Ｐｂとで構成されており、対Ｐｐ（２）は、３行目の画素Ｐａと、４行目の画素Ｐｂとで構成されている。同様に、対Ｐｐ（３）は、５行目の画素Ｐａと、６行目の画素Ｐｂとで構成され、対Ｐｐ（４）は、７行目の画素Ｐａと、８行目の画素Ｐｂとで構成される。
【０１２２】
したがって、図７〜１０を参照して説明した、極性反転リフレッシュ動作を１Ｈ反転で行う駆動方法における各行（１Ｈ）を、個々の対（画素行の対：２Ｈ）に置き換えることによって、極性反転リフレッシュ動作を２Ｈ反転で行う駆動方法に変更することができる。
【０１２３】
例えば、図７（ａ）のフレームＤの各行を画素行の対に置き換えると図１１のフレームＡ（＝Ｅ）が得られ、図７（ａ）のフレームＣの各行を画素行の対に置き換えると図１１のフレームＢが得られ、図７（ａ）のフレームＢの各行を画素行の対に置き換えると図１１のフレームＣが得られ、図７（ａ）のフレームＡ（＝Ｅ）の各行を画素行の対に置き換えると図１１のフレームＤが得られる。
【０１２４】
上述したことから明らかなように、本発明の実施形態による液晶表示装置は、極性反転リフレッシュ動作を１Ｈ反転で行うように構成されていてもよいし、２Ｈ反転で行うように構成されていてもよい。
【０１２５】
ここで例示した擬似デュアルドメイン構造を有するＦＦＳモードの液晶表示装置や、ＩＰＳモードの液晶表示装置は、電極構造が互いに異なる２種類の画素が列方向に隣接するように配置されている。電極構造が異なるということは、最適な対向電圧も異なり得る。したがって、極性反転を２種類の画素を含む２行単位で行うことによって、画素構造の違いに起因する対向電圧のずれによるフリッカを効果的に抑制することができる。
【０１２６】
なお、休止駆動の例として１Ｈｚを例示したが、本発明の実施形態による液晶表示装置が行う休止駆動はこれに限られず、休止期間はフレーム期間よりも長ければよく、６０Ｈｚ未満のフレーム周波数の休止駆動において、上述の効果が得られる。また、フレクソエレクトリック効果は、誘電異方性が正のネマチック液晶材料を用いたＦＦＳモードの液晶表示装置において顕著であるが、誘電異方性が負のネマチック液晶材料を用いたＦＦＳモードの液晶表示装置においても、フリッカを視認され難くできる。また、上記の実施形態のように、ポジ型液晶材料とネガ型液晶材料とを混合して用いたＦＦＳモードの液晶表示装置に上記の駆動方法を適用することによって、６０Ｈｚ未満（例えば３０Ｈｚ以下、特に１０Ｈｚ以下）の休止駆動時におけるフリッカ率を大幅に低減することができる。
【０１２７】
本発明の実施形態による液晶表示装置は、当然に、上述の休止駆動だけでなく、通常の駆動（フレーム周波数が６０Ｈｚ）を行うことができる。また、通常の駆動におけるフレーム周波数は６０Ｈｚ超であってもよいが、フレーム周波数が大きくなると消費電力が増大するので、好ましくない。
【０１２８】
以上に説明した実施形態による液晶表示装置は、上記に説明したようにポジ型液晶材料とネガ型液晶材料とが所定の割合で混合された液晶層を有するだけでなく、行および列を有するマトリクス状に配列された複数の画素であって、それぞれの液晶層に横電界を生成させる第１および第２電極を備える複数の画素を有する表示領域と、複数の画素のそれぞれに画素電圧を供給する駆動回路とを有する液晶表示装置であって、駆動回路は、入力映像信号に応じて決められるフレーム期間に相当する時間間隔をリフレッシュ期間とすると、第１のリフレッシュ期間内に、複数の画素の内の奇数行もしくは偶数行の画素にだけ、または、複数の画素の互いに隣接する奇数行と偶数行とを１つの対とする複数の対の奇数対もしくは偶数対の画素にだけ、その画素に保持されている電圧とは逆極性の画素電圧を供給する、第１極性反転リフレッシュ動作と、第１のリフレッシュ期間の後に、リフレッシュ期間よりも長い時間間隔を有する休止期間にわたって、複数の画素のいずれにも画素電圧を供給しない休止動作と、休止動作の直後の第２のリフレッシュ期間内に、第１極性反転リフレッシュ動作によって逆極性の画素電圧が供給されなかった偶数行もしくは奇数行、または偶数対もしくは奇数対の画素にだけ、その画素に保持されている電圧とは逆極性の画素電圧を供給する、第２極性反転リフレッシュ動作とを行うように構成されていてよい。
【産業上の利用可能性】
【０１２９】
本発明の実施形態による液晶表示装置は、テレビジョン、モニタ、携帯端末用ディスプレイなど種々の表示装置・電子機器に広く利用される。
【符号の説明】
【０１３０】
１０    ＴＦＴ基板（第１基板）
１１    基板
１２    ゲートメタル層
１３    ゲート絶縁層
１４    酸化物半導体層
１６    ソースメタル層
１７    層間絶縁層
２２    対向電極（第２電極）
２３    誘電体層
２４    画素電極（第１電極）
２４ｓ  直線部分
２５    第１配向膜
３０    対向基板（第２基板）
３１    基板
【図１】
2015163255.tif 000003
【図２】
2015163255.tif 000004
【図３】
2015163255.tif 000005
【図４】
2015163255.tif 000006
【図５】
2015163255.tif 000007
【図６】
2015163255.tif 000008
【図７】
2015163255.tif 000009
【図８】
2015163255.tif 000010
【図９】
2015163255.tif 000011
【図１０】
2015163255.tif 000012
【図１１】
2015163255.tif 000013
【図１２】
2015163255.tif 000014
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
一対の基板と、
前記一対の基板間に保持された液晶層であって、誘電異方性が正の１種または複数種のポジ型液晶化合物と誘電異方性が負の１種または複数種のネガ型液晶化合物とを含み、前記ポジ型液晶化合物の合計の含有量が前記ネガ型液晶化合物の合計の含有量を下回らない液晶層と、
前記一対の基板のうちの一方の基板に設けられた、複数の直線部分および隣接する２本の前記直線部分の間に設けられたスリットを有する画素電極および前記画素電極と絶縁された共通電極と
を備え、
前記画素電極と前記共通電極とによって、前記液晶層に、正極性および負極性の画素電圧が６０Ｈｚ未満の周波数で切り替えて印加されるように構成されている、液晶表示装置。
【請求項２】
前記液晶層に、前記正極性および負極性の画素電圧が３０Ｈｚ以下の周波数で切り替えて印加されるように構成されている、請求項１に記載の液晶表示装置。
【請求項３】
前記液晶層に、前記正極性および負極性の画素電圧が１０Ｈｚ以下の周波数で切り替えて印加されるように構成されている、請求項２に記載の液晶表示装置。
【請求項４】
前記ネガ型液晶化合物を含み前記ポジ型液晶化合物を含まないネガ型液晶材料を用いて１Ｈｚで駆動したときのフリッカ率は、前記ポジ型液晶化合物を含み前記ネガ型液晶化合物を含まないポジ型液晶材料を前記所定周波数で駆動したときのフリッカ率よりも小さい、請求項１から３のいずれかに記載の液晶表示装置。
【請求項５】
前記液晶層は、前記ネガ型液晶化合物を２体積％以上３０体積％以下含む、請求項１から４のいずれかに記載の液晶表示装置。
【請求項６】
前記液晶層は、前記ネガ型液晶化合物を２体積％以上１５体積％以下含む、請求項５に記載の液晶表示装置。
【請求項７】
前記ポジ型液晶化合物を含み前記ネガ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第１の低下率で輝度が低下するとともに、画素全体の輝度が一時的に低下した状態における輝度から前記負極性電圧を印加したときの安定輝度まで第２の低下率で輝度が低下し、かつ、前記複数の直線部分上において、前記正極性電圧を印加したときの安定輝度から画素全体の輝度が一時的に低下した状態における輝度まで第１の上昇率で輝度が上昇するとともに、画素全体の輝度が一時的に低下した状態の輝度から前記負極性電圧を印加したときの安定輝度まで第２の上昇率で輝度が上昇する、ポジ型液晶材料であり、
前記ネガ型液晶化合物を含み前記ポジ型液晶化合物を含まない液晶材料は、実質的に同じ絶対値を有する正極性電圧と負極性電圧とが極性を切り替えて印加されるときに、前記スリット上において、前記正極性電圧を印加したときの安定輝度から画素全体の輝度が一時的に低下した状態における輝度まで第３の上昇率で輝度が上昇するとともに、画素全体の輝度が一時的に低下した状態における輝度から前記負極性電圧を印加したときの安定輝度まで第４の上昇率で輝度が上昇し、かつ、前記複数の直線部分上において、前記正極性電圧を印加したときの安定輝度から画素全体の輝度が一時的に低下した状態における輝度まで第３の低下率で輝度が低下するとともに、画素全体の輝度が一時的に低下した状態の輝度から前記負極性電圧を印加したときの安定輝度まで第４の低下率で輝度が低下する、ネガ型液晶材料であり、
前記ポジ型液晶材料についての前記第２の低下率と前記第２の上昇率との大きさの差が、前記ネガ型液晶材料についての前記第４の上昇率と前記第４の低下率との大きさの差よりも大きい、請求項１から６のいずれかに記載の液晶表示装置。
【請求項８】
前記ポジ型液晶材料における前記スリット上での前記第１の低下率は前記第２の低下率よりも大きい、請求項７に記載の液晶表示装置。
【請求項９】
前記ネガ型液晶材料における前記スリット上での前記第３の上昇率と前記第４の上昇率との差は、前記ポジ型液晶材料における前記第１の低下率と前記第２の低下率との差よりも小さい、請求項８に記載の液晶表示装置。
【請求項１０】
実質的に同じ絶対値を有する正極性電圧と負極性電圧とが極性を切り替えて印加されるとき、前記正極性電圧印加時の安定的な画素全体輝度と前記負極性電圧印加時の安定的な画素全体輝度とが実質的に同じ場合において、前記極性を切り替えた直後の所定期間に、前記安定的な画素全体輝度から一時的な画素全体輝度の低下が生じ、
前記ポジ型液晶化合物は、前記スリット上において、前記正極性電圧を印加したときの安定的な輝度と前記一時的な画素全体輝度の低下が生じたときの輝度との差である第１の差が、前記一時的な画素全体輝度の低下が生じたときの輝度と前記負極性電圧を印加したときの安定的な輝度との差である第２の差よりも大きくなる液晶化合物からなり、
前記ネガ型液晶材料は、前記スリット上において、前記正極性電圧を印加したときの安定的な輝度と前記一時的な画素全体輝度の低下が生じたときの輝度の差である第３の差と、前記一時的な画素全体輝度の低下が生じたときの輝度と前記負極性電圧を印加したときの安定的な輝度との差である第４の差との差異が、前記第１の差と前記第２の差との差異よりも小さくなる液晶化合物からなる、請求項１から６のいずれかに記載の液晶表示装置。
【請求項１１】
前記画素電極に接続された薄膜トランジスタをさらに有し、前記薄膜トランジスタの活性層は酸化物半導体層を含む、請求項１から１０のいずれかに記載の液晶表示装置。
【請求項１２】
前記酸化物半導体層はＩｎ−Ｇａ−Ｚｎ−Ｏ系半導体層を含む、請求項１１に記載の液晶表示装置。
【請求項１３】
前記Ｉｎ−Ｇａ−Ｚｎ−Ｏ系半導体層は結晶質部分を含む、請求項１２に記載の液晶表示装置。
【国際調査報告】
2015163255.tif 000015
2015163255.tif 000016
2015163255.tif 000017
2015163255.tif 000018